(57)【要約】【課題】光源の輝度が高いＬＥＤなどの半導体発光素子用いた照明器具においても、所望の配光を得る。【解決手段】複数の半導体発光素子であるＬＥＤ２３と；底部及び底部に対向して開口部を有し、前記半導体発光素子であるＬＥＤ２３が前記開口部から光を照射するように少なくとも長手方向に２列以上配設された長尺の筐体２０と；長尺方向を回動軸として回動可能に前記筐体２０を支持する本体１０と；前記半導体発光素子であるＬＥＤ２３を点灯させる点灯回路とを具備する。【選択図】図１
2010157391.tif 000002
【特許請求の範囲】
【請求項１】
複数の半導体発光素子と；
底部及び底部に対向して開口部を有し、前記半導体発光素子が前記開口部から光を照射するように少なくとも長手方向に２列以上配設された長尺の筐体と；
長尺方向を回動軸として回動可能に前記筐体を支持する本体と；
前記半導体発光素子を点灯させる点灯回路と；
を具備することを特徴とする照明器具。
【請求項２】
筐体の底部外壁部は、回動軸から回動軸に直交する方向への距離に応じて肉薄に形成されていることを特徴とする請求項１に記載の照明器具。
【発明の詳細な説明】
【技術分野】
【０００１】
この発明は、部屋などの全体に係る照明（主照明）用の照明器具に関し、特に輝度が高いＬＥＤなどの光源を用いた照明器具に関するものである。
【背景技術】
【０００２】
ＬＥＤ等の半導体発光素子を光源として用いた照明器具においては、ＬＥＤは面状に配列されることからＬＥＤから前方に光が射出されるために、取付面（通常は天井）側が暗く主照明に用いた場合に明るさ感が得られ難いという問題があった。これに対し、逆富士型の斜面にＬＥＤを配置して取付面側が暗くなる問題を解決することもできるが、係る構成を採用すると放熱面積を確保する必要から照明器具が大型化する問題が生じる。
【０００３】
従来、蛍光灯においては取付面に影が生じ難く、配光を変化させることが可能なように、一端が回転軸に取り付けられ他端によって蛍光ランプの両端部を支えるアームを設け、上記回転軸を中心として蛍光ランプが回転するように構成した照明器具が知られている（特許文献１参照）。
【特許文献１】実開昭６２−５３５１１号公報
【発明の開示】
【発明が解決しようとする課題】
【０００４】
しかしながら、上記の構成をＬＥＤを用いた照明器具に適用する場合には、回転によって傾斜される傾斜面にＬＥＤが並ぶことになり、傾斜面の高い側の位置と低い側の位置とでは放熱によって周囲温度が大きく異なってしまう。このため、ＬＥＤの駆動電圧が異なることになり、同一の電源による駆動では不点灯となるＬＥＤが生じるなどの問題が生じる。
【０００５】
本発明は上記のようなＬＥＤ等を光源として用いた照明器具の問題点を解決せんとしてなされたもので、その目的は、光源の輝度が高いＬＥＤなど用いた照明器具においても、主照明に用いた場合に所望の配光を得ることができ、また、不快グレアを生じ難くすることが可能な照明器具を提供することである。
【課題を解決するための手段】
【０００６】
本発明に係る照明器具は、複数の半導体発光素子と；底部及び底部に対向して開口部を有し、前記半導体発光素子が前記開口部から光を照射するように少なくとも長手方向に２列以上配設された長尺の筐体と；長尺方向を回動軸として回動可能に前記筐体を支持する本体と；前記半導体発光素子を点灯させる点灯回路と；を具備することを特徴とする。
【０００７】
光源としてはＬＥＤなどの高輝度な半導体発光素子が用いられる。回転により傾斜されたときに熱的差異が生じることを考慮して、長尺方向に２列乃至４列の光源が並ぶように配置することが好適である。回転角に制限がないが、１８０度以上回転できることが望まく、３６０度回転するものでも良い。
【０００８】
本発明に係る照明器具では、筐体の底部外壁部は、回動軸から回動軸に直交する方向への距離に応じて肉薄に形成されていることを特徴とする。
【０００９】
回動軸から回動軸に直交する方向への距離に応じて肉薄に形成されるとは、回転軸から離れるに従って肉薄になることを意味し、距離と比例するものに限定されない。筐体の底部外壁部について、長尺方向においても中央かられるに従って肉薄になる構造を採用することもできる。
【発明の効果】
【００１０】
本発明の照明器具によれば、筐体の開口部の向きを変化させるように筐体を長尺方向を軸として回転させることができるので、グレアなどを考慮して所望の方向へ光を射出することでき、所望の照明環境を実現することができる。また、尺方向を軸として回転させるので、傾斜される傾斜面に並ぶＬＥＤの数が長尺方向に並ぶ数より少なく、熱的に大きな差異が生じることなく、駆動電圧が異なってしまうことを原因とした不点灯などの不具合を防止することができる。
【００１１】
また、本発明の照明器具によれば、筐体の底部外壁部が、回転軸からの距離に応じて肉薄に形成されているので、空気の流れがスムーズになり、開口部を上に向けた場合にも熱が肉厚部分から肉薄部分へ向かうように移動し、適切な放熱効果を得ることができる。
【発明を実施するための最良の形態】
【００１２】
以下、添付図面を参照して本発明に係る照明器具の実施例を説明する。各図において、同一の構成要素は同一の符号を付して重複する説明を省略する。図１は、本発明に係る照明器具の実施例の斜視図を示し、図２は長尺方向を断面線とした断面図を示す。この照明器具は、薄手であって長尺の直方体の本体１０と、筐体２０と支持体３０とを主な構成要件とする。
【００１３】
筐体２０は、開口した直方体の例えばアルミニウム性の箱であって、仕切板２１によって複数の小室２２に分けられている。図３に示すように、各小室２２の底部中央には、ここでは４行４列の光源としての半導体発光素子であるＬＥＤ２３が実装され、拡散物質が塗布などされた基板であるＬＥＤモジュール２４が設けられている。ＬＥＤモジュール２４の四辺から各小室２２の枠部に向かって傾斜した反射板２５が取り付けられている。
【００１４】
上記筐体２０の二短側壁２６には、外側に突出した回転軸３１が設けられており、筐体２０の開口部の向きを変化させるように筐体２０を長尺方向を軸として回転させる軸として作用する。本体１０には、ＬＥＤ２３を点灯させる図示しない点灯回路が備えられている。
【００１５】
支持体３０は、本体１０の側部に立設され、上記回転軸３１を軸穴３２に支持する。また、点灯回路と各ＬＥＤ２３を電気的に結ぶ配線は、この支持体３０を通っている。回転軸３１から筐体２０の二長側壁２７までの寸法は、回転軸３１から本体１０の表面までの寸法よりも短く構成されている。また、回転軸３１は軸穴３２に強く保持されている。従って、本体１０は、長尺方向を回動軸として回動可能に上記筐体２０を支持するように構成されている。
【００１６】
上記の構成によって、筐体２０は、回転軸３１を中心として図４に示されるように３６０度回転し、任意の位置において停止し、略固定状態となる。したがって、図４に示す天井５０に本体１０が取り付けられた状態においては、天井５０の表面を含めて全ての方向を照らすように回転し、所望の配光となる位置で略固定状態とすることができる。
【００１７】
上記の照明器具において、ＬＥＤモジュール２４が傾斜した状態において略固定状態となった場合にも、二短側壁２６が傾斜して傾斜面には４個のＬＥＤ２３が並ぶだけであり、放熱された熱が上部に移動したとしても長手方向が傾斜した場合に比べて遥かに少ない熱移動が起こるだけで、温度によるＬＥＤの駆動電圧が異なる程度が問題とならず、同一の電源による駆動により不点灯となるなどの不具合を防止することができる。また、正方形型に筐体を形成した場合と比べ、支持体３０の高さを短くでき、安定感がある構成の照明器具を提供できる。
【００１８】
図５には、筐体２０Ａの底部外壁部２９が、回転軸３１からの距離に応じて肉薄に形成されている変形例に係る照明器具を短側壁から見た側面が示されている。この照明器具によれば、開口部を天井５０に向けた図５の状態に置いても、底部外壁部２９が概ね円弧状となっているので、熱が矢印Ｈにより示す気流によって放散され、適切な放熱効果を得ることができる。
【図面の簡単な説明】
【００１９】
【図１】本発明に係る照明器具の実施例を示す斜視図。
【図２】本発明に係る照明器具の実施例における長尺方向を断面線とした断面図。
【図３】本発明に係る照明器具の実施例の要部を拡大して示す正面図。
【図４】本発明に係る照明器具の実施例を短側壁方向から見た状態の筐体が回転する様子を示す側面図。
【図５】本発明に係る照明器具の変形例を短側壁方向から見た状態の気流を示す側面図。
【符号の説明】
【００２０】
１０  本体
２０、２０Ａ  筐体
２３  ＬＥＤ
２４  ＬＥＤモジュール
２５  反射板
３０  支持体
３１  回転軸
【図３】
2010157391.tif 000003
【図４】
2010157391.tif 000004
【図５】
2010157391.tif 000005
【図１】
2010157391.tif 000006
【図２】
2010157391.tif 000007